(57)【要約】【課題】  食品を包装する包装箱であって、持ち運びの際に、包装された食品の型崩れ等を防いで、安定して持ち運ぶことのできるものを提供する。【解決手段】  食品を包装する包装箱であって、上記包装箱を持つための把手片と、上記包装箱の底部に設けられ、上記食品を保持するための支持片と、を有し、上記把手片は、上記把手片の中心と上記包装箱の底部の重心とが同一鉛直線上に位置するように取り付けられており、上記支持片は、上記包装箱の底部の重心に対して対称となる位置に設けられていることを特徴とする食品包装箱。【選択図】  図４
2007210628.tif 000002
【特許請求の範囲】
【請求項１】
食品を包装する包装箱であって、
上記包装箱を持つための把手片と、
上記包装箱の底部に設けられ、上記食品を保持するための支持片と、を有し、
上記把手片は、上記把手片の中心と上記包装箱の底部の重心とが同一鉛直線上に位置するように取り付けられており、
上記支持片は、上記包装箱の底部の重心に対して対称となる位置に設けられている、
ことを特徴とする食品包装箱。
【請求項２】
上記支持片は、所定の間隔ごとに複数取り付けられている、
請求項１記載の食品包装箱。
【請求項３】
上記支持片は、上記包装箱の底部に着脱可能に取り付けられる、
請求項１又は２記載の食品包装箱。
【請求項４】
上記支持片は上記包装箱の底部に対して折曲可能に起立するよう取り付けられている、
請求項１又は２記載の食品包装箱。
【請求項５】
上記支持片は、上記重心から外側に向かって折曲して起立する、
請求項４に記載の食品包装箱。
【請求項６】
上記包装箱の底部は、上記包装箱内の底面板と、上記底面板に載置されるトレーよりなり、
上記トレーに上記支持片が形成されている、
請求項１乃至５いずれかの項に記載の食品包装箱。
【請求項７】
上記包装箱は、上面及び底面を直角二等辺三角形形状とする三角柱を横倒しした倒三角柱形状からなる、
請求項１乃至６いずれかの項に記載の食品包装箱。
【請求項８】
上記包装箱は、上記包装箱を形成する面板が連設され、所定の形状に型抜きされたブランクを、折り曲げて上記各面板を当接させることにより組み立てて形成される、
請求項１乃至７いずれかの項に記載の食品包装箱。
【発明の詳細な説明】
【技術分野】
【０００１】
本発明は、食品の包装箱に関し、特に、一人分のみならず複数人分の食品を、内容量に応じて適切に収納でき、食品の型崩れ等を防いで安定して持ち運ぶことができる包装箱の技術に関する。
【背景技術】
【０００２】
身近にあるファーストフード店、食料品店や菓子店などの店頭において販売されるサンドイッチやおにぎり等のご飯類、あるいはケーキ等の菓子類は、店内で飲食される場合もあれば、注文したお客が家や外出先等に持ち帰る場合もある。
【０００３】
そして、お客が上記のような食品を持ち帰る場合には、これらを包装用の箱等に詰めるのが一般的であるが、お客の注文数量は一人分のときもあれば複数人分のときもある。そのため、店側はこれに対応して、複数量の食品を収納可能な包装箱を用意したり、注文数量に応じた数種類の包装箱を用意したりしている。
【０００４】
この点、食品を包装する容器の従来技術の一つとして、ケーキを載せる底面板の周囲に連設した前面板、後面板及び一対の側面板を起立させ、側面板の前後縁に連設した折曲片を内側へ折り曲げ、前方の折曲片の上縁に設けた差込突起を、前面板の上縁から延出した前折片の基端に沿う差込穴に差し込み、後面板の上縁に連設した蓋を前面板の上部まで被せて天面を閉止し、蓋を開いて、差込突起を差込穴から抜くと、前面板、後面板及び両側面板が倒れてケーキを取り出すことができるものが提案されている（特許文献１参照）。
また、他の包装容器の一つとして、内容物を詰める中箱の相対する一対の側面の上部に接合片を延在させ、各接合片にスリットを設け、展開形状の取手付きカバーは外側角部に係止爪を有し、中箱を取手付きカバーで包囲して、スリットに係止爪を挿入・係止することにより、中箱と取手付きカバーを一体化するものが提案されている（特許文献２参照）。
【０００５】
【特許文献１】特開２００２−３３７８４８号公報
【特許文献２】特開平０６−２９８２４１号公報
【発明の開示】
【発明が解決しようとする課題】
【０００６】
しかしながら、特許文献１記載の包装箱によれば、ケーキの収納に際し、ブランク状態でケーキを底面板に載せてから組み立てることができ、また、ブランク状態に戻してケーキを容易に取り出すことができるので、ケーキの収納や取り出しの際に、ケーキが壊れたりすることを防ぐことはできるが、持ち運びによる揺れや振動に対して、収納されたケーキが安定する構造を有していないため、持ち運びの過程で中身が型崩れ等を起こすおそれが高い。
他方、特許文献２記載の包装容器も、包装前はブランクの状態に保管しつつ、使用するときは店頭で店員が簡易に組み立てることができ、食品の店頭販売に供される包装容器として利用されるものである。しかしながら、当該包装容器も、持ち運びによる揺れや振動に対して安定する構造を有しておらず、やはり、内容物が比較的弱い揺れや振動によって容易に型崩れ等を起こしてしまうおそれが高い。
【０００７】
そこで、本発明は、食品を包装する包装箱であって、持ち運びの際に、包装された食品の型崩れ等を防いで、安定して持ち運ぶことのできるものを提供することを目的とする。
【課題を解決するための手段】
【０００８】
上記目的を達成するため、本発明の一の観点に係る食品包装箱は、食品を包装する包装箱であって、上記包装箱を持つための把手片と、上記包装箱の底部に設けられ、上記食品を保持するための支持片と、を有し、上記把手片は、上記把手片の中心と上記包装箱の底部の重心とが同一鉛直線上に位置するように取り付けられており、上記支持片は、上記包装箱の底部の重心に対して対称となる位置に設けられていることを特徴とする
食品とは、例えば、サンドイッチ、おにぎり、ケーキなどをいう。
これにより、食品包装箱に収納された食品は支持片により両端から保持され、持ち運びによる揺れや振動に対して動かずに安定し、型崩れ等を起こすことがない。
また、上記の場合において、中央付近に食品を置くことにより、収納された食品の両端を支持片で保持することで包装箱の全体の重心が端部に偏ったりせず、やはり持ち運びにおいて安定する。
さらに、把手片が、把手片の中心と包装箱の底部の重心とが鉛直線上に位置するように取り付けられていることから、上記のように食品を包装箱の中央付近に置いた上で、食品を収納した包装箱を把手片により握持したときには、握持することにより鉛直上方向に作用する力と、包装箱にかかる鉛直下方向の重力とが略同一鉛直線上に位置して、包装箱を安定的に持ち運ぶことができる。
【０００９】
また、上記支持片は、所定の間隔ごとに複数取り付けられていてもよい。
これにより、収納される食品の数量に応じて食品を保持することができる。
【００１０】
また、上記支持片は、上記包装箱の底部に着脱可能に取り付けられていてもよい。
これにより、必要な支持片だけを取り付ければよく、無駄な支持片を省くことができる。
【００１１】
また、上記支持片は上記包装箱の底部に対して折曲可能に起立するよう取り付けられていてもよい。
これにより、必要に応じて、保持される食品の両端にある支持片を起立させればよく、他の支持片が邪魔にならない。
【００１２】
また、上記支持片は、上記重心から外側に向かって折曲して起立するものとしてもよい。
これにより、保持される食品から支持片にかかる押圧力の方向と、折り曲げて起立させた支持片が元の状態に戻ろうとする力の方向とが対向するので、食品を強く保持することができる。
【００１３】
また、上記包装箱の底部は、上記包装箱内の底面板と、上記底面板に載置されるトレーよりなり、上記トレーに上記支持片が形成されているものとしてもよい。
これにより、例えば、包装箱の底面板とトレーとの間にフィルムを挟み込んで、当該フィルムにより、収納された食品を被覆すれば、食品を衛生的に保つことができる。また、包装箱の底とトレーとの間に保冷材を敷き詰めるなどすれば、食品の保存に効果的である。
【００１４】
また、上記包装箱は、上面及び底面を直角二等辺三角形形状とする三角柱を横倒しした倒三角柱形状からなるものとしてもよい。
これにより、食品包装箱を二箱一組あるいは四箱一組にしたときに、四角柱形状に組み合わせることができ、紙袋に収納等する際に収まりがよい。
【００１５】
また、上記包装箱は、上記包装箱を形成する面板が連設され、所定の形状に型抜きされたブランクを、折り曲げて上記各面板を当接させることにより組み立てて形成されるもの  
としてもよい。
これにより、包装箱は、保管しておくときはブランク状態としておくことで嵩張らず、食品を収納するときは、即座に組み立てることができて手間や時間がかからない。
【発明の効果】
【００１６】
本発明によれば、包装箱に食品が満杯に収納されない場合でも、当該食品は支持片により両端から保持されるので、持ち運びに際して揺れや振動が生じても、包装箱内で食品が動いたりせずに安定し、食品の型崩れ等を防ぐことができる。
また、上記の場合において、中央付近に食品を置くことにより、収納された食品の両端を支持片で保持することで包装箱の全体の重心が端部に偏ったりせず、やはり持ち運びにおいて安定する。
さらに、把手片が、把手片の中心と包装箱の底部の重心とが鉛直線上に位置するように取り付けられていることから、上記のように食品を包装箱の中央付近に置いた上で、食品を収納した包装箱を把手片により握持したときには、握持することにより鉛直上方向に作用する力と、包装箱にかかる鉛直下方向の重力とが略同一鉛直線上に位置して、包装箱を安定的に持ち運ぶことができる。
【発明を実施するための最良の形態】
【００１７】
以下、本発明の実施の形態に係る包装箱について、図面を参照して説明する。なお、本例においては、収納する食品がサンドイッチである場合を例にとって説明する。
図１は本発明に係る包装箱１の外観を示す斜視図である。図１に示すように、包装箱１は直角二等辺三角形を両側面とする倒三角柱の形状からなり、その矩形面の一辺であって、上記両側面の直角である頂点同士を結ぶ辺上の中央部に把手片１７が設けられている。また、本例における包装箱１の寸法の一例は、把手片１７を除いた倒三角柱において、両側面に当たる直角二等辺三角形のうちの相等しい辺ａが９４ｍｍ、他の一辺ｂが１２９．２ｍｍであり、矩形面において、両側面の対応する頂点同士を結んだ線分ｃが３２５ｍｍである。本発明に係る包装箱１の寸法はこれに限られるものではないが、複数個のサンドイッチを詰めることを前提としている。
図２及び図３は、包装箱１のブランクを示した図であり、図２はサンドイッチを収納するケース１ａを、図３はサンドイッチを載せると共に、ケースの底面板１１上に載置されるトレー１ｂを示している。なお、トレー１ｂはケース１ａ内に収納されるため、ケース１ａの底面板１１よりも小さいサイズである。
そして、本例における包装箱１はケース１ａとトレー１ｂから組み立てられる。
なお、本例において、包装箱１の素材には厚紙を用いているが、これに限らず、折曲自在で特定の形状を維持できる素材を用いることが可能である。
【００１８】
まず、図２により、ケース１ａについて詳しく説明する。
ケース１ａは、底面板１１の周囲に前面板１２、後面板１３、及び一対の貼着板１４が折曲可能に連設されている。
底面板１１は、長方形形状であり、その長辺に前面板１２及び後面板１３が連設され、その短辺に一対の貼着板１４が連設されている。
前面板１２には一対の貼着板１２ａ及び前天面板１５が折曲可能に連設されている。そして、前面板１２と前天面板１５との間の中央部には差込孔１５ａが設けられている。
後面板１３には一対の貼着板１３ａ、後天面板１６及び把手片１７が折曲可能に連設されている。そして、後面板１３には、一対の係止孔１３ｂが形成されている。なお、把手片１７は、その中心が、底面板１１、前面板１２、及び後面板１３の中心を結んだ直線状に位置するよう連設されている。
貼着板１４には側面板１８が折曲可能に連設され、さらに側面板１８の前後縁には、前面板１２側に側折片１９ａが、後面板１３側に側折片１９ｂが折曲可能に連設されている。
把手片１７には、折曲片２０が折曲可能に連設されている。そして、後面板１３と折曲片２０の間と、把手片１７の内側左右端と折曲片２０の間とにかけて把手孔スリット２０ａが形成されている。
前天面板１５には舌片状の係止片２１が折曲可能に連設されている。そして、係止片２１は、前天面板１５側に突出した舌片状の係止爪２１ａを有し、前天面板１５と係止爪２１ａとの間には半円弧状の係止スリット２１ｂが形成されている。
なお、各板等の連設箇所には折線を設けることができる。
【００１９】
続いて、図３によりトレー１ｂについて説明する。
トレー１ｂは、長方形形状の基板３０上に、複数の舌片状の支持片３０ａが折曲可能に連設されている。支持片３０ａには、略半円弧状の外周に沿って開口スリット３０ｂが形成されている。
支持片３０ａは、基板３０の短辺に対して平行となると共に、基板３０の中心に対して対称となる位置に、所定の間隔をおいて取り付けられている。この間隔は、収納するサンドイッチの幅より僅かに大きく、サンドイッチを丁度保持することができるものとするのが好ましい。また、上記所定の間隔ごとに配置する支持片３０ａの数は、特に限定されない。なお、本例においては、基板３０の中心付近には支持片３０aが連設されていないが、これは、当該箇所にサンドイッチが載置されることを予定したものであり、当該箇所に支持片３０aを取り付けるか否かは任意に設定することができる。
また、支持片３０aは、本例では、内側から外側へ開くように折り曲げるよう連設されているが、逆に、外側から内側へ折り曲げるように連設されていてもよい。前者の場合には、保持されるサンドイッチから支持片３０aにかかる押圧力の方向と、折り曲げて起立させた支持片３０aが元のブランク状態に戻ろうとする力の方向とが対向するので、サンドイッチを強く保持することができる。一方、後者の場合には、サンドイッチを完全に載置してから支持片３０aを折り曲げて起立させることができる。
【００２０】
次に、本実施例に係る包装箱１を使用する場合の一連の流れを説明する。
まず、予め、ケース１ａは、貼着片１２ａを前面板１２の内面に、貼着片１３ａを後面板１３の内面に、貼着板１４を底面板１１の内面に、それぞれ接着剤等で貼り付けた状態のブランクで保管しておく。この保管状態では、多数のケースを積み重ね、整然と揃えておくことができる。
なお、貼着片１２ａ、貼着片１３ａ、貼着板１４をそれぞれ前面板１２、後面板１４、底面板１１に貼り付けることで、持ち運び等に際してぶつかったりしやすい端部の強度を増すことができる。
トレー１ｂは、支持片３０ａを折り曲げず、ブランクの状態で保管しておく。
【００２１】
サンドイッチを包装する際には、図４に示すように、まず、上記保管状態のケース１ａを取り出して、トレー１ｂをケース１ａの底面板１１上に載置させる。そして、トレー１ｂ上に、中央から両端へ順にサンドイッチ２を詰める。このときに、ケース１ａが満杯にならない場合は、収納したサンドイッチ２の両端に当接する支持片３０ａを折り曲げて起立させることにより、収納されたサンドイッチ２を支持片３０ａにより保持する。
なお、サンドイッチ２をトレー１ｂに載置する場合、トレー１ｂの一の端部から他端部に向かって載置させ、最後に載置したサンドイッチ２に当接する支持片３０ａを折り曲げて起立させることにより当該サンドイッチ２を保持することもできるが、上記のように、中央から端部へ順に詰めた場合には、サンドイッチ２収納後の包装箱１の重心が偏らず、持ち運びに際して包装箱１が安定し、サンドイッチ２の型崩れ等に効果的である。
また、底面板１１上にトレー１ｂを載置する際に、トレー１ｂと底面板１１との間に合成樹脂等よりなる包装フィルムを挟んだ上、当該包装フィルムでトレー１ｂごとサンドイッチ２を被覆することもでき、この場合には、サンドイッチ２をより衛生的に保つことができる。
【００２２】
そして、側面板１８を折り曲げて起立させてから、側折片１９ａ、１９ｂを外側へ側面板１８に対して直角になるように折り曲げる。その後、後面板１３を折り曲げて起立させて、側折片１９ｂに、後面板１３に貼着された貼着片１３ａを当接させ、さらに後天面板１６を側折板１９ａに当接するよう内側へ折り曲げる。
【００２３】
次に、前面板１２を折り曲げて起立させ、側折片１９ａに、前面板１２に接着された貼着片１２ａを当接させると共に、後天面板１６上に前面板１２が重なるように当接させる。この際、差込孔１５ａに把手片１７及び把手片１７に連設された折曲片２０を差し込む。そして、前天面板１２を折り曲げて後面板１３に被せると共に、係止片２１を折り曲げて係止爪２１ａを起こし、係止爪２１ａを係止孔１３ｂに差し込んだ後、再び係止爪２１ａを寝かせて係止させる。これにより包装箱１がロックされ、サンドイッチ２の包装が完了する。
【００２４】
包装完了後、包装箱１を持ち歩く場合には、把手片１７が底面板１１に対して直角となるよう上向きに折り曲げ、さらに、折曲片２０を折り曲げて把手片１７に当接させる。これにより、折曲片２０のあった位置に指を差し入れ、折曲片２０と共に把手片１７を握って包装箱１を持ち運ぶことができる。
また、包装箱１を紙袋等に詰めるときは、把手片１７及び折曲片２０を折り曲げて前面板１２又は後面板１３に当接させる。これにより、把手片１７及び折曲片２０が邪魔にならない。
【００２５】
また、図５に示すように、サンドイッチ２を収納した包装箱１を複数、紙袋等に詰めるなどする際には、上記のように把手片１７及び折曲片２０を折り曲げて前面板１２又は後面板１３に当接させた上、二箱一組として、一方の包装箱１の底面と他方の包装箱１の底面とを重ねることで、倒四角柱形状とすることができ、収まりがよい。また、図６に示すように、四箱一組として、各包装箱１の前面板１２及び後面板１３を順次当接させて、倒四角柱形状とすることもでき、この場合にもやはり収まりがよい。
【００２６】
包装された包装箱１を開け、サンドイッチを食べる場合は、係止孔１３ｂに差し込まれている係止爪２１ａを押し上げることで係止爪２１ａを係止孔１３ｂから抜いた後、前天面板１５を外側に折り曲げると共に前面板１２を外側に折り曲げて、差込孔１５ａから把手片１７及び折曲片２０を抜き、さらに、前面板１２、後面板１３、及び側面板１８を外側へ倒すことで包装箱１がブランクに戻り、サンドイッチ２を崩すことなく、サンドイッチ２を容易に取り出すことができる。
【００２７】
また、このようにブランクに戻った包装箱１は、サンドイッチ２を取り出した後、簡単に折り畳んで廃棄することができる。
また、サンドイッチ２を食べ切れなかったときは、残ったサンドイッチ２の両端にある支持片３０aを折り曲げて起立させ、残ったサンドイッチ２を再び保持して収納すれば、最初にサンドイッチ２を収納したときと同様に、残ったサンドイッチ２の型崩れ等を防いで適切に持ち運ぶことができる。
【００２８】
本例において、包装箱１は、組み立てたときに倒三角柱形状となるように造られているが、収納するサンドイッチの形状に合わせたものとすることもできる。例えば、四角形のサンドイッチを収納することを前提とする場合には、組み立て後の包装箱１が上記四角形形状の側面を有する倒四角柱となるよう、前面板１２と前天面板１５の間、あるいは後面板１３と後天面板１６の間にもう一面設けた上、側面板１８を上記倒四角形形状にすればよい。
【００２９】
また、本例においては、収納する食品をサンドイッチとしたが、これに限られるものではなく、おにぎり等のご飯類やケーキ等の菓子類を収納することも可能である。また、これらを収納する包装箱の形状は、上記のような倒三角柱形状あるいは倒四角柱形状に限らず、収納する食品に応じて種々の形状とすることができる。
【００３０】
また、本例においては、包装箱１はケース１ａとトレー１ｂにより構成されているが、支持片３０ａを底面板１１に取り付ける構成とすることもできる。
【００３１】
また、本例においては、食品を保持する支持片３０ａは、基板３０上に折曲可能に連設された平板形状であるが、これに限らず、折曲不能に起立させて設けたり、係合片を取り付けるなどして着脱可能に設けたりすることもできるほか、その形状を棒状に構成し、複数の支持片により柵状構造を形成するなどして、食品を保持するよう構成することもできる。
【図面の簡単な説明】
【００３２】
【図１】本発明の実施の形態に係る包装箱の外観を示す斜視図である。
【図２】本実施形態に係るケースのブランクを示す図である。
【図３】本実施形態に係るトレーのブランクを示す図である。
【図４】本実施形態に係る包装箱におけるサンドイッチの収納途中の状態の一例を示す斜視図である。
【図５】本実施形態に係る包装箱を二箱一組として組み合わせた状態を示す斜視図である。
【図６】本実施形態に係る包装箱を四箱一組として組み合わせた状態を示す斜視図である。
【符号の説明】
【００３３】
１・・・包装箱、１ａ・・・ケース、１ｂ・・・トレー、２・・・サンドイッチ、１１・・・底面板、１２・・・前面板、１２ａ・・・貼着片、１３・・・後面板、１３ａ・・・貼着片、１３ｂ・・・係止孔、１４・・・貼着板、１５・・・前天面板、１５ａ・・・差込孔、１６・・・後天面板、１７・・・把手片、１８・・・側面板、１９ａ・・・側折片、１９ｂ・・・側折片、２０・・・折曲片、２０ａ・・・把手孔スリット、２１・・・係止片、２１ａ・・・係止爪、２１ｂ・・・係止スリット、３０・・・基板、３０ａ・・・支持片、３０ｂ・・・開口スリット
【図１】
2007210628.tif 000003
【図２】
2007210628.tif 000004
【図３】
2007210628.tif 000005
【図４】
2007210628.tif 000006
【図５】
2007210628.tif 000007
【図６】
2007210628.tif 000008